(57)【要約】      （修正有）【課題】遠心力とプレセッションを利用して推進力を発生させる。【解決手段】小型フライホイル２を２０００回転で自転させ、それをＵ型曲がりリング３に沿って２００回転で公転、更に大型フライホイル９の全体回転で１００回転すると、小型フライホイル２の自転、公転と全体回転１００回転の２点でプレセッションにより接線の直角方向に力が転換、と同時に揚力（大型フライホイル９回転接線上直角方向に力が転換する）を利用、小型フライホイル２の６０度上方向に遠心力が働き合力により推進力を発生させる。 【選択図】図１
2008309054.tif 000002
【特許請求の範囲】
【請求項１】
半円棒２本を前後方向に垂直に立て、頂点２本をそれぞれ左右６０度に傾けて倒す下端はＵ型に繋がっている、小型フライホイルを左周りに高速自転させたものを、小型フライホイル面は、半円棒面に対し直角にし、左半円棒向側から陽が昇るように円周上の、０度から手前１８０度移行回転させた時点でプレセッションにより円周移行回転接線方向の、直角方向に力が方向変換する、と同時に半円棒の直径の中心点を中心にして左回り全体回転させているから、前者と同様に揚力が発生、両作用で下方向への力が減殺、右に立てた半円棒の円周上に、小型フライホイルが移行回転して行く、半円棒の、円周上、移行にガイドされた、小型フライホイルは手前１８０度から右向側３６０度へと陽が沈む如く廻って行き、３６０度時点で、前と同じ力が働く、また０度から１８０度へと高速移行公転させる、複数の小型フライホイルを付ければ、小型フライホイルが左と右の円周上に、点在し左右に６０度上方向へ小型フライホイルの遠心力が働き、ベクトルの合力で上の方向に引き揚げる推進力が発生する、上段、下段は回転方向を逆にして回転反作用のバランスを取った、推進機である。
【請求項２】
半円棒を平鉄にして平鉄にリニアモーター駆動コイルを貼り付けて平鉄リングに、強力磁石ホルダーを通して平鉄リングに沿って電磁駆動によりスライドするようにして移行公転させる、強力磁石ホルダーに、小型モーターと小型フライホイルを取り付けば、請求項１と同じ記載の推進機となる。
【発明の詳細な説明】
【技術分野】
【０００１】
本発明は昇降機を内臓したフレーム外側に本推進機を組み付けて何段も重ねて上空に伸ばして物体を宇宙などに往復搬送に関するものである。
【背景技術】
【０００２】
これまでは宇宙へはガス噴出ロケットだけです。  先行特許文献には
【特許文献１】特許公開２００３−３９４６  星野  昌文
【特許文献２】特開２００４−３３２７０２  長谷  保宏ありますが遠心力、ジャイロスコープの原理を応用していますが構造が全く違います、東京大学宇宙工学部でエレベーターシステムをＮＨＫテレビで聞き、ネットでアクセスするがフレームの強度がネックとなり出来ないので、本推進機で補完する事が出来る。
【発明の開示】
【発明が解決しようとする課題】
【０００３】
従来のロケット推進では宇宙搬送には施設、資金が莫大となる。
本推進器は遠心力、プレセッションを利用して推進力を発生させてフレームに内臓した昇降機、推進機と組み合わせ恒常的に宇宙へ搬送する事が課題である。
【課題を解決するための手段】
【０００４】
本発明は上記目的を達成する為、下記の手段、構成で解決させる、
鉄丸棒を円形リングにしたものを水平に置き、円形リングを蝶の羽のようにＵ状に二つ折れに、曲げて、上が広がったＵ型にする、Ｕ型の内角は１２０度にする、円形Ｕ曲がりリングのＵ型底両端は留め金１１、で大型フライホイル９、の円の淵に取り付け固定する。
【０００５】
大型フライホイル９、はフレーム７、に取り付け軸先に大型フライホイル９、を嵌入し、大型フライホイル９、のセンターに大型モーター１、を取り付け固定し軸先にには、フランジ駆動ホルダー８、を嵌入する。
【０００６】
フランジ駆動ホルダー８、には角型棒バー５、の６本をピンで放射状に取り付ける、角型棒バー５、の先端には小型モーター６、を取り付ける。
【０００７】
小型モーター６、の軸先には小型フライホイル２、を嵌入する、小型フライホイル２、のカバー先端軸に、角金板１２、を嵌め更に長いボールベアリング４も嵌めこみ、角金板１２、に二つ目の長いボールベアリング４、を取り付け固定して円形Ｕ曲がりリング３、を挟んで取り付ける。
【０００８】
小型フライホイル２、を上段左周りで２０００回転で自転させ  その小型フライホイル２、が円形Ｕ曲がリング３、に沿ってガイドされ２００回転で公転させて更に大型フライホイル９、を１００回転で全体回転するようにする。
【０００９】
小型フライホイル２、が右半円２個と左半円２個での、上６０度方向の遠心力の合力で推進力を発生させる、円形Ｕ曲がりリング３、のＵ型曲がりの底部位置で小型フライホイル２、の自転、公転で円周接線の直角方向にプレセッションの力で方向転換する、と同時に大型フライホイル９、の全体回転でも小型フライホイル２、のプレセッションで揚力が発生し下接線方向への力が減殺される、上段下段の回転方向はすべて逆回転とし反作用など相殺してバランスをとらせる、以上の手段を講じた推進機である。
【００１０】
請求項２の推進機は円形Ｕ曲がりリング３、を平鉄にし、そこに電磁石のリニアモーター駆動コイル１４、を貼り付け磁石ホルダー１３、が円形Ｕ曲がりリング３、に沿ってスライドするようにして、公転２００回転させる磁石ホルダー１３、には小型モーター６、と小型フライホイル２、を取り付ければ、請求項１と同じ効果の推進機である。
【００１１】
ロ字型の四角形立法体のフレームにして何段も積み上げ四角形の中にエレベターを組み込み本推進機又は電磁誘導駆動式かギヤーとスピンドルギヤーなどの組み合わせによってエレベーターを昇降させる事が出来る、本推進機を何箇所もフレームの外側に取り付けフレームを常に上方に推進力を働かせてフレームの重力を軽減上空に固定安定させる事が出来て、宇宙にも往復搬送が常時可能となる効果がある、動力は電力で賄う。
又宇宙でのソーラーシステムなどで電力を地上に送電出来る期待ががもてるまた小型フライホイル２、の回転中心点移動が推進機移動距離より遅ければ昇降機やヘリコプターなどに応用できる、効果のある推進機である。
【発明を実施するための最良の形態】
【００１２】
小型モーター６、で小型フライホイル２、の直径２００ミリ厚さ３３ミリの中刳りで重さ約４，５キロを回転数２０００回転させる。
【００１３】
円形Ｕ曲がりリング３、の太さ２０ミリにして円形の直径約９４０ミリです
円形内径は９００ミリです、実際はＵ曲がり分だけ楕円状となる
【００１４】
フランジ駆動ホルダー８、に付けた角型棒バー５、６本の公転数は２００回転です。
【００１５】
大型モーター１、の軸先にはフランジ駆動ホルダー８、を嵌入している、
角型バー５、の長さはフランジ駆動ホルダー８、軸中心から長いローラーベアリング４、先端まで５５０ミリです。
【００１６】
超大型モーター１０、をフレーム７、に取り付けて、軸先には大型フライホイル９、を嵌入して１００回転させる、大型フライホイル９、の中心に大型モーター１、を乗せて固定する。
【００１７】
超大型モーター１０、大型モーター１、小型モーター６、共に上段側左回転下段側右回転として上下段の回転反作用のバランスをとる。
【００１８】
手作り試作では小型モーター６、は自動車のワイパーモーターを使用、小型フライホイル２、は２個だけで自転約５００回転と、大型モーター１、は２００Ｖ、０．７５ＫＷ可変型を使用、公転は約６０回転で、大型フライホイル９、１００回転は使用しなかったが、横向きスライド方式にして実験した結果推進力は約１キログラムで高速回転は危険で出来なかった。
実用化には超大型モーター、大型モーター、小型モーター、円形Ｕ曲がりリング、フレーム、角型棒バー、など構造、大きさ共に増強して強力な推力を得るようにする、なお図面には補強材は表示していない。
【００１９】
試算では総推進力は約１１４４キロです、計算式は下記又は図４で説明する。
瞬間時、推進力  計算式
重量×半径×回転数？＝遠心力
4,5kg×0,45ｍ×200回転＝405kg
遠心力×小ベクトル係数＝左方小ベクトル遠心力
405kg×166%＝左672kg            （ベクトル図面で算出166％）
左小ベクトル遠心力×大ベクトル係数＝総遠心力
672kg×        0%     ＝672kg   （ベクトル図面で算出０％）
推定プレセッション揚力×２箇所＝推定プレセッション全揚力
（遠心力の半分）   202.5ｋ×２＝405kg  (大型フライホイルの全体左回転100回転の分)  
推定−接線下方向遠心力×２箇所＝−接線全下方向推進力        一段目推定自重
（遠心力の半分)  202.5kg×2＝  405kg                         100 kg    
推定-接線全下方向推進力＋推定自重＝全マイナス推進力
405kg＋  100kg  ＝505kg                
（総遠心力＋推定プレセッション揚力）−（−推定接線下方向推進力＋推定自重）＝上段推進力
（672kg＋405kg）−（  −405kg          ＋100kg  ）＝  572kg
（上段側）572kg＋（下段側）572kg＝1144kg（総推進力）
理科の先生に計算して貰うと405kgが88.5kgとでる166％掛けると146.9kgで自重より大きい。
【図面の簡単な説明】
【００２０】
【図１】本発明の斜視図である
【図２】本発明の「請求項２」の推進機
【図３】図１の一部横、断面図
【図４】瞬間時の推力計算図
【符号の説明】
【００２１】
１、大型モーター            ９、大型フライホイル              
２、小型フライホイル      １０、超大型モーター
３、円形Ｕ曲がりリング    １１、円形Ｕ曲がりリング留め金    
４、長いローラーベアリング１２、角金板
５、角型棒バー            
６、小型モーター          １３、磁石ホルダー（図２）  
７、フレーム            １４、リニアモーター駆動コイル（図２）
８、フランジ駆動ホルダー    
【図１】
2008309054.tif 000003
【図２】
2008309054.tif 000004
【図３】
2008309054.tif 000005
【図４】
2008309054.tif 000006